(57)【要約】【課題】  利用者による寝台の利用状態を安価な装置で確実に把握することができ、寝台上での異常をも監視することができる寝台利用監視装置、およびその監視装置による監視方法を提供する。【解決手段】  寝台利用監視装置１は、ベッド２の１本の脚に設けられ、そのベッド２およびベッド２の利用者の重量を受けるハカリ３と、このハカリ３で検出した重量の変化を監視するとともに重量の変化に基づいてベッド２の利用状態を判断する監視制御装置とを備えて構成されている。【選択図】  図１
2005349201.tif 000002
【特許請求の範囲】
【請求項１】
寝台における複数の脚のうち少なくとも１本の脚に設けられるとともに当該寝台および寝台利用者の重量を受ける重量検出装置と、
この重量検出装置で検出した重量の変化を監視するとともに重量の変化に基づいて前記寝台の利用状態を判断する監視制御装置とを備えて構成されていることを特徴とする寝台利用監視装置。
【請求項２】
請求項１に記載の寝台利用監視装置において、
前記重量検出装置は、流体を媒体とした受圧面積変換手段と、この受圧面積変換手段から伝導された圧力を検出する圧力センサとを備えて構成されていることを特徴とする寝台利用監視装置。
【請求項３】
請求項２に記載の寝台利用監視装置において、
前記受圧面積変換手段は、内部に圧力を伝導する前記流体が密閉された容器本体と、この容器本体に設けられ前記寝台からの重量を前記流体に伝達する圧力伝達部材と、一端面が前記圧力伝達部材と当接されるとともに他端面が前記寝台の重量を受ける受け面となった重量受け部材とを備えて構成され、この重量受け部材の一端面の受圧面積が前記圧力伝達部材にかかる最大荷重重量とセンサーの最大受け圧とのマッチングを取る径に形成されていることを特徴とする寝台利用監視装置。
【請求項４】
請求項１ないし請求項３のいずれかに記載の寝台利用監視装置において、
前記監視制御装置は、前記重量検出装置で検出した重量を電気に変換する圧電変換手段と、この圧電変換手段の電位に応じて前記寝台の重量を計測する重量計測手段と、この重量計測手段により計測した重量の変化に基づいて前記寝台の利用状態を判断する判断手段と、を備えていることを特徴とする寝台利用監視装置。
【請求項５】
請求項１に記載の寝台利用監視装置において、
前記重量検出装置は、圧力が掛かった部位の歪量を検出する歪センサーを備えて構成されていることを特徴とする寝台利用監視装置。
【請求項６】
寝台少なくとも一部に設けられ当該寝台および寝台利用者の重量を受ける重量受け工程と、
この重量受け工程で受けた重量を受圧面積変換を用いて圧力変換を行う圧力変換工程と、
この圧力変換工程で得られた圧力を電気信号に変換する圧電変換工程と、
この圧電変換工程からの電気信号を計測する重量計測工程と、
この重量計測工程からの信号に基づいて前記寝台上の寝台利用者の状態を判断する判断工程とからなることを特徴とする寝台利用者監視方法。
【請求項７】
寝台少なくとも一部に設けられ当該寝台および寝台利用者の重量を受ける重量受け工程と、
この重量受け工程で受けた重量を受圧面積変換を用いて圧力変換を行う圧力変換工程と、
この圧力変換工程で得られた圧力を電気信号に変換する圧電変換工程と、
この圧電変換工程からの電気信号を計測する重量計測工程と、
この重量計測工程からの信号に基づいて前記寝台上の寝台利用者の状態を判断する判断工程と看視者に異常を伝える警報出力行程からなることを特徴とする寝台利用者監視方法。
【発明の詳細な説明】
【技術分野】
【０００１】  本発明は、ベッドやソファーなどの、寝台利用者の利用状態を把握するものであり、特に、病院や介護施設などで、入院患者などの寝台利用者が、寝台から離れたことや、痙攣発作などの発見を看視者に知らせる寝台利用者看視装置およびその看視装置による看視方法であり、看視者の労力を少なくし、また利用者に対してよりよいサービスを提供するものである。
【背景技術】
【０００２】  例えば、痴呆性老人や知的障害児などの夜間睡眠時、及び病気などでの寝台利用には、健常者では考えられない特徴がある。
すなわち、痴呆性老人の場合では、夜間の徘徊に伴う事故や、寝台からの転落、痙攣発作などによる窒息死などが考えられる。
知的障害児の場合も同様の問題があり、その事に気付けば助かることも多く、又それだけに患者の把握をする作業も緊張を強いられている。
現在、この入院患者の把握方法は人手に頼ることが多く、それに関わる人に大きな労力が強いられている。具体的な把握方法としては、定期巡回による目視による把握、カメラを使ったモニターによる把握などがあるが、いずれの方法も把握に相当神経を使い、重労働を余儀なくされている。【０００３】  上記問題点を解決するために、寝台（ベッド）の脚へ重量検知手段を備えて重量を観測し、所定値より軽くなったか重いかという判断で、ベッド上に人が存在するかどうかの判定を行うものが知られている（例えば、特許文献１）。【０００４】
【特許文献１】特許第２８６８６５８号公報
【発明の開示】
【発明が解決しようとする課題】
【０００５】  しかし、前記従来技術では、ベッドに人がいるかいないかを判定するだけであり、ベッド上で行なわれる動作、例えば寝返りをしたり、痙攣発作を繰り返したりするなどを判定することができない。したがって、例えば、ベッド上で具合が悪くなって倒れたきりの動かない場合でも、定時間ごとの回診などまで待たなければならないこともあり、大きな問題に発展することもある。
また、ベッドに直接センサーが取付けられているために、レンジの大きなセンサーを用意しなければならず高価なシステムになる。特に、センサーがベッド各々に取付けられるため、大規模施設に於いては、高価なセンサーを多く使用することになり、設備が大掛かりになることに加え、多大な経費がかかるという問題がある。【０００６】  本発明の目的は、寝台上でのわずかな異常をも常時看視することができるとともに、利用者による寝台の利用状態を安価な装置で確実に把握することができる寝台利用者看視装置、およびその看視装置による看視方法を提供することである。
【課題を解決するための手段】
【０００７】  本発明の寝台利用者看視装置は、寝台における複数の脚のうち少なくとも１本の脚に設けられるとともに当該寝台および寝台利用者の重量を受ける重量検出装置と、この重量検出装置で検出した重量の変化を看視するとともに重量の変化に基づいて前記寝台の利用状態を判断する看視制御装置とを備えて構成されていることを特徴とするものである。【０００８】  この寝台利用者看視装置では、寝台に設けられた重量検出装置からの重量の変化を看視制御装置により看視することができる。重量検出装置は、寝台の脚のうち少なくとも１本の脚に設けられているので、利用者がセンサーより遠くなると検出重量は軽くなり、逆に近くなると重くなる。このように寝台利用者の位置に対応した重量の変化を捉えることができ、寝台上に利用者がいるかいないかだけでなく、寝返りや痙攣などの微妙な状態をも看視することができる。したがって、寝台のそれぞれに設けられた重量検出装置を看視制御装置に接続することで、遠隔操作により多数の寝台の利用状態を集中看視、管理することができる。【０００９】  本発明の寝台利用者看視装置は、請求項１に記載の寝台利用者看視装置において、前記重量検出装置は、流体を媒体とした受圧面積変換手段と、この受圧面積変換手段から伝導された圧力を検出する圧力センサーとを備えて構成されていることを特徴とする。【００１０】  この寝台利用者看視装置では、流体を媒体とした受圧面積変換手段により、すなわち、パスカルの原理を利用して、重量を分圧する受圧面積を大きくすることで、大きな荷重の測定を小さな圧力センサーで行なうことができる。したがって、安価な重量検出装置を製作できる。
さらに、流体利用の圧力変換を用いることで、クランクや梃子を用いた場合に生じるストロークの増大を招くことがないため、装置を小規模にすることができる。【００１１】  本発明の寝台利用者看視装置は、請求項１または請求項２に記載の寝台利用者看視装置において、前記受圧面積変換手段は、内部に圧力を伝導する前記流体が密閉された容器本体と、この容器本体に設けられ前記寝台からの重量を前記流体に伝達する圧力伝達部材と、一端面が前記圧力伝達部材と当接されるとともに他端面が前記寝台の重量を受ける受け面となった重量受け部材とを備えて構成されていることを特徴とする。【００１２】  この寝台利用者看視装置では、寝台の重量が重量受け部材で受けられ、この重量受け部材からの重量が、圧力伝達部材を経て流体に伝導される。このとき、重量受け部材の一端面からの圧力が分圧され、小さな荷重で圧力センサーに伝わる。したがって、小さな圧力センサーで大きな荷重の測定ができ、安価な重量検出装置を製作できる。【００１３】  本発明の寝台利用者看視装置は、請求項１または請求項２に記載の寝台利用者看視装置において、前記看視制御装置は、前記重量検出装置で検出した重量を電気に変換する圧電変換手段と、この圧電変換手段の電位に応じて前記寝台の重量を計測する重量計測手段と、この重量計測手段により計測した重量の変化に基づいて前記寝台の利用状態を判断する判断手段と、を備えていることを特徴とする。【００１４】  この寝台利用者看視装置では、寝台を利用する者の重量の変化が、看視制御装置により判断されて、利用状態が看視される。【００１５】  本発明の寝台利用者看視装置は、請求項１に記載の寝台利用者看視装置において、前記重量検出装置は、圧力が掛かった部位の歪量を検出する歪センサーを備えて構成されていることを特徴とする。【００１６】  この寝台利用者看視装置では、寝台の少なくとも一部に歪センサーを設け、その歪センサーの歪量を検出できるので、微妙な重量の変化を検出できるとともに、安価な重量検出装置を製作できる。【００１７】  本発明の寝台利用者看視方法は、寝台に設けられ当該寝台および寝台利用者の重量の少なくとも一部を受ける重量受け工程と、この重量受け工程で受けた重量を受圧面積変換を用いて圧力変換を行う圧力変換工程と、この圧力変換工程で得られた圧力を電気信号に変換する圧電変換工程と、この圧電変換工程からの電気信号を計測する重量計測工程と、この重量計測工程からの信号に基づいて前記寝台上の寝台利用者の状態を判断する判断工程とからなることを特徴とする。
【発明を実施するための最良の形態】
【００１８】  以下に、図に基づいて本発明に係る寝台利用者看視装置およびその看視装置による看視方法を説明する。【００１９】  図１に示すように、寝台利用者看視装置（以下、単に看視装置という）１は、例えば寝台としてのベッド２における１本の脚２Ａに、重量検出装置としてのハカリ３を装着して、そのハカリ３で検出したベッド２の重量の変化を、看視制御装置５で遠隔操作して看視することにより、ベッド２の利用者、つまり患者などのベッド２の利用状態を看視するものである。【００２０】  すなわち、看視装置１は、例えば多数台配置されたベッド２の脚２Ａの下に敷設された（図５参照）前記ハカリ３と、これらのハカリ３と配線７を介して連結され、かつ前述のように、ハカリ３で検出したベッド２の重量の変化を看視する前記看視制御装置５とを備えて構成されている。この看視制御装置５には、当該看視制御装置５により看視した各種看視記録を記憶する記憶保存装置６が接続され、また、看視制御装置５で発見された異常を、例えば発信音で知らせる警報発信器４が接続されている。【００２１】  前記ベッド２に設けられるハカリ３は、図３〜図７に詳細が示されている。
そして、このハカリ３は、図２に示すように、パスカルの原理に基づいて構成されている。
ここで、パスカルの原理とは、密閉した容器内で静止している流体の一部に圧力を加えると、その圧力は同じ強さで流体のどの部分にも伝わるという原理である。【００２２】  したがって、図２（Ａ）に示すように、受圧面積ＳＡのピストン１３に、外部からＦ１の荷重が掛けられたとき、圧力ＰＡが配管７を経由して圧力計１４に掛かる。
さらに具体的に説明すると、例えば、受圧面積ＳＡが１ｃｍ２とされたピストン１３に、外部から１００ｋｇの荷重Ｆ１が掛けられたとき、圧力計１４の圧力は１００ｋｇ／ｃｍ２である。【００２３】  また、図２（Ｂ）に示すように、受圧面積ＳＢのピストン１５に、外部からＦ２の荷重が掛けられたとき、圧力ＰＢが配管７を経由して圧力計１４に掛かる。
さらに具体的に説明すると、例えば、受圧面積ＳＢが１０ｃｍ２とされたピストン１５に、外部から１００ｋｇの荷重Ｆ２が掛けられたとき、圧力計１４の圧力は１０ｋｇ／ｃｍ２である。
この図２（Ｂ）の場合、大きな荷重が掛かるものを小さな圧力計で表示することができる。【００２４】  図３〜図５には、前記ハカリ３の詳細が示されている。
ハカリ３は、前記図２（Ｂ）のパスカルの原理に基づいた構造であり、容器本体３１と、重量受け部材３７とからなる受圧面積変換手段であるハカリ本体３０とを備えて構成されている。【００２５】  容器本体３１は、底板３１Ａを有する板厚の厚い円筒状部材の上方に薄板状の縁部３１Ｂが形成された形状となっており、例えばアルミニウム製となっている。ただし、材質には限定されない。
上記縁部３１Ｂの内周には雌ねじが切られており、この雌ねじにリング状部材３２の外周雄ねじをねじ込み、リング状部材３２が固着されるようになっている。このリング状部材３２も例えばアルミニウム製となっている。【００２６】  容器本体３１の上部の段部には重量伝達部材としてのダイヤフラム３３が設けられ、このダイヤフラム３３は、上記リング状部材３２により押さえ込まれて固定されている。そして、ダイヤフラム３３は、弾力性を有する例えばゴムで形成されているが、合成樹脂により形成してもよい。【００２７】  また、容器本体３１の側面には、当該容器本体３１の直径方向に沿い、かつ互いに反対位置に、流動体充填口３１Ｃと圧力センサー取付け口３１Ｄとが形成されている。流動体充填口３１Ｃには、逆流防止弁３４が設けられるとともに、蓋部材３５がねじ込まれている。【００２８】  これに対して、圧力センサー取付け口３１Ｄには、配管１７を介し圧電変換手段である圧力センサー１４が取付けられている。そして、容器本体３１の底板３１Ａと、蓋部材３５と、配管１７とで囲まれた空間内には、圧力を伝導する媒体としての流動体３６が充填されている。この流動体３６としては、例えば水性の不凍液が使用されている。ただし、作動油などの油を用いてもよい。【００２９】  前記重量受け部材３７は、例えばアルミニウム製の円板形状に形成され、前記リング状部材３２の内径部に挿入可能なピストン部３７Ａと、このピストン部３７Ａから外方に延びて連続する鍔部３７Ｂとを有している。そして、重量受け部材３７の上面は平坦状に形成された重量受け面３７Ｃとされ、この重量受け面３７Ｃに、図４、図５に示すように、ベッド２の脚２Ａの下端が載せられるようになっている。また、ピストン部３７Ａの一端面３７Ｄは、前記重量伝達部材３３を押圧し、重量を分圧する重量分圧面となっている。
なお、ピストン部３７Ａは図２で説明したピストン１３に相当する。【００３０】  重量受け部材３７のピストン部３７Ａの受圧面積Ｓ１は、１ｃｍ２より大きく形成されているが、この数値は、１ｃｍ２より小さくてもよい。【００３１】  そして、前記容器本体３１、重量受け部材３７で前述のようにハカリ本体３０が構成され、さらに、このハカリ本体３０と重量伝達部材３３、蓋部材３５、配管７および圧力センサー１４を含み、前記重量検出装置としてのハカリ３が構成されている。
以上のようなハカリ３には、図４にも示すように、圧力センサー１４から配線７を介して看視制御装置５が接続されている。【００３２】  図５に示すように、実施形態では、ハカリ本体３０を構成する重量受け部材３７の重量受け面３７Ｃ上にベッド２の１本の脚２Ａ部が載せられている。このとき、残りの脚２Ａ部の下には、ベッド２の高さを揃えるために、ハカリ本体３０の高さと同じ高さに形成された高さ補正ブロック３８が配置されている。【００３３】  以上は、１本の脚２Ａにハカリ本体３０を設けた例であったが、図６に示すように、よりよい重量データーを取るために、４本の脚２Ａのうち、半分の２本の脚２Ａからデーターを取るようにしてもよい。【００３４】  すなわち、圧力センサー１４を備えていない補助ハカリ２３と、圧力センサー１４を備えたハカリ本体３０とを、配管１７により同圧配管することにより、ベッド２の脚２Ａにより加圧された流動体の圧力は共有され、１台の圧力センサー１４でベッド２の重量変化を測定することができる。したがって、１台の圧力センサー１４で、より正確な重量データーを得ることができる。
また、残り２本の脚２Ａの下には、前記高さ補正ブロック３８が設けられている。【００３５】  以上のような構造のハカリ本体３０への流動体３６を充填するには、図７に示すように行なわれる。すなわち、流動体３６の充填作業は、流動体３６を入れた圧力容器７０の下部配管７１を、ハカリ本体３０における容器本体３１の流動体充填口３１Ｃに配管する。【００３６】  次いで、圧力供給口７２へ真空引きなどで適度な負圧を加えた後、圧力を戻す作業を数回繰り返してハカリ本体３０から空気を抜き出す。ハカリ本体３０から空気を抜き出した後、ハカリ本体３０の流動体充填口３１Ｃに流動体逆流防止弁３４を取付ける。そして、流動体３６の供給を行うが、ダイヤフラム３３を重量印加時とは反対側に変形させるために、圧力供給口７２は空気圧などで適度な加圧を行なう。【００３７】  ハカリ３から送られるデーターは、図８に示すように、看視用制御装置５内の看視システム信号処理装置６５に取り込まれ、ここで各種制御が行なわれる。
また、ハカリ３の圧力センサー１４から送られる信号は、圧力を電気信号に変換されたものであり、そのうちの一部が直接ＡＤ変換器２５のうちのＡＤ変換器２５ａに取り込まれる。圧力センサー１４から送られるその他の電気信号は、信号捩り分け器２４に送られ、重量アナログ信号４９〜５３のスイッチングにより選択され、ＡＤ変換器２５のうちのＡＤ変換器２５ｂへ送られる。【００３８】  ＡＤ変換されバスライン２６を通った信号は判断手段を構成するＣＰＵ制御装置２７に送られ、このＣＰＵ制御装置２７により、各種判断が行なわれて看視制御が行われる。
ベッド２の重量の重大な変化発生など、異常時は出力装置２９に接続された警報発信器４から出る音などで看視者に知らせるようになっており、出力装置２９には、出力群４６のいずれかから出力されるようになっている。【００３９】  また、ＣＰＵ制御装置２７には入力装置２８が接続され、この入力装置２８には、例えば異常時の警報を止めるなどスイッチを押す入力群４７からの入力作業が行なわれる。さらに、ＣＰＵ制御装置２７からの看視状態は、タッチパネル４８に表示され、視覚による状態把握が可能となっている。
そして、以上の信号振り分け器２４、ＡＤ変換器２５、およびＣＰＵ制御装置２７を含み、重量計測手段６６が構成されている。【００４０】  図９には、看視制御装置５による看視フローが示されている。このフローは、リアルタイムに看視したい場合、例えば痙攣発作などを持った対象者に対して適用されるものである。そして、図８で説明した圧力センサー１４から直接ＡＤ変換器２５ａに送られる一部の信号の例であり、図８の上部に示された部分の詳細図である。【００４１】  ハカリ３からの取込み信号４０は、ＡＤ変換器２５ａにより変換されてデジタル信号として前記ＣＰＵ制御装置２７に取り込まれる。【００４２】  センサー１４から送られた空ベッドの重量信号を基準信号値４２として、ベッド上転落看視４３と、ベッド上生活看視４４とに記憶させる。また、センサー１４から送られた現状の重量信号がベッド上転落看視４３と、ベッド上生活看視４４とに取り込まれ、上記空ベッドの重量信号と現状の重量信号とが比較される。
この比較によって、ベッド上転落看視４３においては、ダイナミックな変化量、例えばベッド上転落看視やベッド上にいない場合などが判断される。
ベッド上生活看視４４においては、変化がない場合等の確認がされる。
上記各入力信号の確認を同時に行い続け、異常時には前記警報発信器４から警報を出して看視者に異常を知らせる。【００４３】  一方、センサー１４から送られた信号を、単位時間当たりの平均値を基準信号値４２Ａとして、ベッド上痙攣看視４５に取り込む。また、センサー１４から送られた現状の重量信号がベッド上痙攣看視４５に取り込まれ、上記基準信号値４２Ａと現状の重量信号とが比較される。
この比較によって、ベッド上痙攣看視４５においては、利用者の位置移動による重量変動に対処した変化量、ベッド上痙攣看視確認が行われる。
なお、痙攣発作看視の場合は、単位時間当たりに所定回数連続した変化を計測したときに痙攣発作と判断される。また、この場合も、上記各入力信号の確認を同時に行い続け、異常時には前記警報発信器４から警報を出して看視者に異常を知らせる。【００４４】  図１２は、リアルタイムに看視する必要のない対象者に対して適用される看視フロー図である。そして、図８で説明したセンサーから送られる残りの信号の例であり、図８の下部側に示された部分の詳細図である。【００４５】  ハカリ３からの重量アナログ信号４９〜５３は、接点５４〜５８により選択された１信号づつが、順番にＡＤ変換器２５ｂに送られ、ＡＤ変換されてデジタル信号としてＣＰＵ制御装置２７に取り込まれる。【００４６】  図１２では、前記痙攣看視をする必要がない場合の説明であり、ＡＤ変換器を共有した一般的に使われているマトリックス選択回路を使用した看視装置のフローである。【００４７】  次に、以上のような構成の寝台利用者看視装置により、ベッド利用の患者の状態を看視する方法を説明する。
複数のベッド２を準備するとともに、前述した構造のハカリ３を、各ベッド２における１本の脚２Ａの下に設け、それぞれのベッド２を利用する患者の利用状態を検出する。【００４８】  利用者がベッド２上で寝起きしたり、ベッド２から降りたり、あるいは落ちたりした場合、常時それぞれのベッド２に装着したハカリ３により、それぞれの状態が重量信号として検出され、配線７を介して看視制御装置５に取り込まれる。【００４９】  看視制御装置５は、それぞれのベッド２から送られる重量信号をＡＤ変換後、ＣＰＵ制御装置２７に取込み、取り込まれた信号は上記ＣＰＵ制御装置２７内において、比較基準重量の算出、ダイナミックな変化量検出、微妙な変化量検出、中間的な変化量検出と、それぞれの検出作業を行い、その作業結果に基づいて、それぞれの利用者の状態が判断され、統計的に確認、把握される。【００５０】  看視制御装置５で異常が発見された場合、警報発信器４により発信音が発せられ、タッチパネルにより個人を特定し看視者に所定のベッド２の異常が知らせる。その結果、看視者は利用者を常時直接看視していなくてもすむ。【００５１】  以上のような本実施形態によれば、次のような効果がある。
（１）ベッド２に設けられたハカリ３からの重量の変化を看視制御装置５により看視することができる。ハカリ３は、ベッド２の１本の脚２Ａに設けられているので、重量の変化を捉えることができ、ベッド２上に利用者がいるかいないかだけでなく、寝返りをも看視することができる。したがって、ベッド２のそれぞれに設けられたハカリ３を看視制御装置５に接続することで、遠隔操作により多数の寝台の利用状態を集中看視、管理することができる。【００５２】（２）単位時間当たりの平均値を基準信号値４２Ａと、センサー１４から送られた現状の重量信号がベッド上痙攣看視４５に取り込まれ、上記基準信号値４２Ａと現状の重量信号とが比較される。  この比較によって、ベッド上痙攣看視４５においては、利用者の位置移動による重量変動に対処した変化量、によりベッド上痙攣看視確認が行できる。【００５３】（３）看視装置１では、ベッド２に設けられたハカリ３からの重量の変化を看視制御装置５により看視することができる。そのため、ベッド２を多数配置しても、それぞれに設けられたハカリ３を看視制御装置５に接続することで、遠隔操作により集中看視、管理することができる。したがって、大規模施設などにも充分対応できる看視装置１とすることができるとともに、看視者の負担を軽くすることができる。【００５４】（４）ハカリ３が流動体３６を用いた構成、すなわち、パスカルの原理を利用しているので、圧力センサー１４を小さなスケールとすることができる。したがって、大きな荷重の測定を小さな圧力センサー１４で行うことができるので、安価な重量検出装置とすることができる。特に、大規模施設などにおいて多数のベッド２を配置してある場合、ベッド２の４本の脚にそれぞれセンサーを設けると、それだけでも大変な金額になるが、本願発明では、ハカリ３を１本の脚２Ａに設けるだけでよいので、ハカリ３を安くできるとともに、設備全体では大幅な経費節減とすることができる。【００５５】（５）流体利用の圧力変換が行なわれるハカリ３を使用することで、クランクや梃子を用いた場合に生じるストロークの増大を招くことがないため、装置を簡略化することができる。【００５６】（６）実際に、ベッド２を例えば５０台ほど準備し、前述した構造のハカリ３を、各ベッド２における１本の脚２Ａ部の下に設け、それぞれのベッド２を利用者である患者に利用させ、重量の変化を検出し、状態を看視し、その結果、例えば図１２〜図１４に示すように、細分化された詳細なデーターを得ることができた。
なお、各図面において、横軸は時間の経過を示し、縦軸はベッドの重量を示す。【００５７】（７）図１２では、夜８時台から翌朝８時ごろまで、ほぼ１２時間にわたるベッド２の利用状態がデーターとして収集されている。この図１２に示されるように、このベッド２の利用者は、重量の変化が極端に少なく、非常に寝相のよい利用者であることがわかる。あるいは、よほど疲れているか、体力が落ちていることも考えられる。
なお、計測当初のグラフの低点Ｍ１は、ベッド２のセンサーより遠い位置に利用者が移動した事を記録している、高点Ｍ２は、ベッド２のセンサーに近い位置に利用者が移動した事を記録している、本発明では、このような詳細な重量の変化まで把握することができる。これは、ベッド２の１本の脚２Ａにハカリ３が設けられているため、重量が１個のハカリ３に集中し、その結果、距離による重量変化を検出できるものである。【００５８】（８）図１３では、重量の変化が極端に激しく現われており、頻繁に寝返りをうっているものと考えられる。そして、どこか体調に異常がある、ということも考えられる。【００５９】（９）図１４では、短時間ごとにベッドから降りていることが現れており、トイレに頻繁に行っている、と考えられる。そして、泌尿器に問題を抱えている、ということも考えられる。
以上、図１２〜図１４に３態様を示したが、睡眠時の寝返り（体重の移動）を細分化したデーターとして看視、管理することにより、心身ともに不自由な生活をおくっている入院患者などの、声のない人の声を聞く一つの手段として、その人たちの健康管理に役立てることができるとともに、施設や病院などの看視者の負担を軽くすることもできる。【００６０】  なお、本発明は前述の実施形態に限定されるものではなく、本発明の目的を達成できる範囲での変形、改良等は本発明に含まれるものである。【００６１】  例えば、前記実施形態のハカリ３に代えて、図１１に示すような構造の重量検出装置としてのハカリ８３としてもよい。
すなわち、ハカリ８３は、容器本体８２と重量受け部材８７とからなるハカリ本体８０と、前記圧力センサー１４とで構成されている。円筒状に形成された容器本体８２には円板状の底板８１が設けられるとともに、容器本体８２の上端面に被せられたダイヤフラム８６が設けられている。このダイヤフラム８６は、容器本体８２に押付けて天板８４で固定され、この天板８４と底板８１とは、固定ボルト８５で位置決め、固定されている。そして、底板８１と容器本体８２とダイヤフラム８６とで囲まれた空間には、前記流動体３６が密閉されている。【００６２】  容器本体８２の側面には、流動体充填口８３Ｃと、その反対側の圧力センサー取付け口８３Ｄとが設けられている。流動体充填口８３Ｃには、前記逆流防止弁３４と、前記蓋部材３５とがねじ込まれるようになっている。また、圧力センサー取付け口８３Ｄには、前記圧力センサー１４が取付けられるようになっている。【００６３】  前記重量受け部材８７は、ピストン部８７Ａを有し、ピストン部８７Ａの一端面８７Ｄが受圧面積Ｓ１の重量分圧面となっており、ピストン部８７Ａの他端面８７Ｃが重量受け面となっている。
そして、このようなハカリ８３によっても、前記（１）〜（３）とほぼ同じような効果を得ることができる。【００６４】  また、前記実施形態および変形形態では、重量検出装置として、パスカルの原理を利用し、流動体３６に伝達される圧力を圧力センサー１４に伝導する形式が用いられていたが、これに限らない。例えば、ベッド２の脚２Ａの下に直接歪センサーを取付け、ベッド利用者の寝返りなどの体重移動、ベッドから降りたときなどの、ベッドの重量による歪のデーターをアンプで集約するとともに、パソコンで表示して、患者などベッド利用者を集中看視、管理するようにしてもよい。【００６５】  さらに前記実施形態では、ハカリ３をベッド２の脚２Ａの下に設けてあるが、これに限らず、図１５に示すような構成としてもよい。すなわち、脚２Ａの側面にＬ型金具７５が取り付けられ、このＬ型金具７５に前記ハカリ３を床面に向けて取り付けてある。この際、ベッド２の脚２Ａの下端よりハカリ３の下端が下方に突出して形成されている。したがって、ベッド２の重量をハカリ３で受けるような構成となっている。
このような実施形態では、前記高さ補正ブロック３８を設ける必要がなくなり、その分の材料費、制作費が不要となるという効果がある。【００６６】  また、重量検出装置として、前記実施形態では、パスカルの原理を用いたハカリ３で構成し、変形形態では、歪ゲージを用いたものとしたが、これに限らない。重量を電気信号に変換できるものであればどのようなものでもよい。【００６７】    本発明の利用分野は前記実施形態に限らず、例えば看視したい各部屋にモニターカメラを設置しカメラ用スイッチャ−とモニター装置を設ける、出力装置２９により出力群４６のいずれかから出力された異常信号により上記カメラのスイッチャーを制御し異常事態の有る部屋の映像をモニターカメラに写すなど信号発信装置としても良い。
【図面の簡単な説明】
【００６８】
【図１】  本発明の寝台利用者看視装置の一実施形態を表す全体図である。
【図２】  前記実施形態の重量検出装置の原理を示す説明図である。
【図３】  前記実施形態の重量検出装置の縦断面図である。
【図４】  前記実施形態の重量検出装置を看視制御装置に繋いだ状態を示す図である。
【図５】  前記実施形態の重量検出装置と寝台との係合状態を示す図である。
【図６】  前記実施形態の重量検出装置を並列した状態を示す図である。
【図７】  前記実施形態の重量検出装置に圧力媒体である流動体を充填する方法の説明図である。
【図８】  前記実施形態の看視制御装置の信号処理装置を示す図である。
【図９】  前記実施形態の看視制御装置によるリアルタイムでの看視が必用な場合のフロー図である。
【図１０】  前記実施形態の看視制御装置によるリアルタイムでの看視が必要でない場合のフロー図である。
【図１１】  本発明の重量検出装置の変形形態を示す縦断面図である。
【図１２】  本発明の寝台利用者看視装置を利用して得られた実際のデーターを示す図である。
【図１３】  本発明の寝台利用者看視装置を利用して得られた実際の他のデーターを示す図である。
【図１４】  本発明の寝台利用者看視装置を利用して得られた実際のさらに他のデーターを示す図である。
【図１５】  本発明に係る重量検出装置の他の変形形態を示す縦断面図である。
【符号の説明】
【００６９】  １    寝台利用者看視装置
２    寝台としてのベッド
２Ａ  ベッド脚
３    重量検出装置としてのハカリ
４    警報発信器
５    看視制御装置
６    データ−記録装置
７    配線
１３  ピストンＳＡ
１４  圧力センサー
１５  ピストンＳＢ
２４  信号振り分け器
２５  ＡＤ変換器（アナログ〜デジタル変換器）
２７  ＣＰＵ制御装置
３０  受圧変換手段としてのハカリ本体
３３  ダイヤフラム
３６  流動体
３７  重量受け部材
３７Ａ  ピストン部
３７Ｃ  重量受け面
Ｓ１    受圧面積
【図１】
2005349201.tif 000003
【図２】
2005349201.tif 000004
【図３】
2005349201.tif 000005
【図４】
2005349201.tif 000006
【図５】
2005349201.tif 000007
【図６】
2005349201.tif 000008
【図７】
2005349201.tif 000009
【図８】
2005349201.tif 000010
【図９】
2005349201.tif 000011
【図１０】
2005349201.tif 000012
【図１１】
2005349201.tif 000013
【図１２】
2005349201.tif 000014
【図１３】
2005349201.tif 000015
【図１４】
2005349201.tif 000016
【図１５】
2005349201.tif 000017